(57)【要約】【課題】胴７から内鞘１１を外した場合でも内鞘１１から鞘９が外れにくく、また、内鞘１１に鞘９を取り付ける時には簡単に取り付けることができる。しかも、内鞘１１と鞘９の回り止めや鞘９の位置合わせも鞘９に内鞘１１を挿入するのみで行え、非常に生産性が向上する筆記具を提供する。【解決手段】鞘９の後部に内鍔９Ａを形成するとともにこの内鍔９Ａに長手方向に伸びた凹溝９Ｂを形成する。また、内鞘１１の後部に外鍔１１Ａを形成するとともに外鍔１１Ａより長手方向前方に伸びた突部１１Ｂを形成する。この突部１１Ｂの前部に前記鞘９の凹溝９Ｂよりやや太幅の係止部１１Ｃを形成する。前記内鞘１１の突部１１Ｂを鞘９の凹溝９Ｂに挿入し、内鞘１１の係止部１１Ｃを鞘９の凹溝９Ｂに圧入嵌合して取り付けた後、この内鞘１１の前部に胴７を螺合することにより胴７と内鞘１１により鞘９を挾持して取り付ける。【選択図】        図１
2005219209.tif 000002
【特許請求の範囲】
【請求項１】
胴に内鞘を着脱可能に取り付け、前記胴と内鞘により鞘を挾持する筆記具において、鞘の後部に内鍔を形成するとともにこの内鍔に長手方向に伸びた凹溝を形成し、内鞘の後部に外鍔を形成するとともに外鍔より長手方向前方に伸びた突部を形成し、この突部の前部に前記鞘の凹溝よりやや太幅の係止部を形成し、鞘に内鞘を挿入した時鞘の凹溝に内鞘の係止部を着脱可能に圧入嵌合して取り付け、この内鞘の前部に胴を螺合することにより胴と内鞘により鞘を挾持して取り付けたことを特徴とする筆記具。
【請求項２】
胴に取り付けられた金輪に内鞘を着脱可能に取り付け、前記胴と内鞘により鞘を挾持する筆記具において、鞘の後部に内鍔を形成するとともにこの内鍔に長手方向に伸びた凹溝を形成し、内鞘の後部に外鍔を形成するとともに外鍔より長手方向前方に伸びた突部を形成し、この突部の前部に前記鞘の凹溝よりやや太幅の係止部を形成し、鞘に内鞘を挿入した時鞘の凹溝に内鞘の係止部を着脱可能に圧入嵌合して取り付け、この内鞘の前部に金輪を螺合することにより金輪と内鞘により鞘を挾持して取り付けたことを特徴とする筆記具。
【請求項３】
鞘を透明あるいは着色透明に構成し、鞘の内側に位置する内鞘を目視可能に構成したことを特徴とする請求項１又は２記載の筆記具。
【請求項４】
鞘に形成した凹溝を長手方向前方に行くに従って細幅となるように形成するとともに、内鞘の突部に形成した係止部の両側を曲線状に湾曲して形成したことを特徴とする請求項１乃至３のいずれか１項に記載の筆記具。
【発明の詳細な説明】
【技術分野】
【０００１】
本発明は、胴あるいは金輪に内鞘を着脱可能に取り付け、胴あるいは金輪と内鞘により鞘を挾持する筆記具に関するものである。
【背景技術】
【０００２】
従来、鞘に内鞘を接着して取り付け、この鞘を胴に取り付けた筆記具が知られている。（特許文献１参照）
【特許文献１】実公昭５０−６４４２号公報（第１図）
【発明の開示】
【発明が解決しようとする課題】
【０００３】
解決しようとする課題は、鞘に内鞘を接着したものは、製造工程が複雑でコスト高になるものであった。また、内鞘に鞘を被せ、胴に内鞘を螺合することにより胴と内鞘で鞘を挾持した筆記具が考えられる。しかし、この筆記具はボールペンのレフィールを取り替えるとかシャープペンシルの作動の不具合を手直しするために、胴から内鞘を外すと内鞘から鞘が外れてしまい、作業が非常に面倒であった。
【課題を解決するための手段】
【０００４】
本発明は、胴に内鞘を着脱可能に取り付け、前記胴と内鞘により鞘を挾持する筆記具において、鞘の後部に内鍔を形成するとともにこの内鍔に長手方向に伸びた凹溝を形成し、内鞘の後部に外鍔を形成するとともに外鍔より長手方向前方に伸びた突部を形成し、この突部の前部に前記鞘の凹溝よりやや太幅の係止部を形成し、鞘に内鍔を挿入した時鞘の凹溝に内鞘の係止部を着脱可能に圧入嵌合して取り付け、この内鞘の前部に胴を螺合することにより胴と内鞘により鞘を挾持して取り付けたことを第１の要旨とする。
【０００５】
また、胴に取り付けられた金輪に内鞘を着脱可能に取り付け、前記胴と内鞘により鞘を挾持する筆記具において、鞘の後部に内鍔を形成するとともにこの内鍔に長手方向に伸びた凹溝を形成し、内鞘の後部に外鍔を形成するとともに外鍔より長手方向前方に伸びた突部を形成し、この突部の前部に前記鞘の凹溝よりやや太幅の係止部を形成し、鞘に内鞘を挿入した時鞘の凹溝に内鞘の係止部を着脱可能に圧入嵌合して取り付け、この内鞘の前部に金輪を螺合することにより金輪と内鞘により鞘を挾持して取り付けたことを第２の要旨とする。
【０００６】
更に、鞘を透明あるいは着色透明に構成し、鞘の内側に位置する内鞘を目視可能に構成したことを第３の要旨とする。
【０００７】
更にまた、鞘に形成した凹溝を長手方向前方に行くに従って細幅となるように形成するとともに、内鞘の突部に形成した係止部の両側を曲線状に湾曲して形成したことを第４の要旨とする。
【発明の効果】
【０００８】
本発明の筆記具は、ボールペンのレフィールを交換したりシャープペンシルの作動部材を外すために、胴から内鞘を外した時に内鞘から鞘が外れにくく、また、内鞘に鞘を取り付ける時には簡単に取り付けることができる利点がある。更に、内鞘と鞘の回り止めや鞘の位置合わせも、鞘に内鞘を挿入するのみで行え、非常に生産性が向上する利点がある。
【発明を実施するための最良の形態】
【０００９】
鞘の凹溝に、内鞘の突部を挿入し、内鞘の係止部を鞘の凹溝に着脱可能に係合することにより、胴から内鞘を外しても鞘が内鞘から外れにくいとともに、内鞘と鞘の回り止めや鞘の位置合わせが容易に行える筆記具を実現した。
【実施例１】
【００１０】
図１、図２、図３および図４により本発明の実施例１を説明する。尚、筆記具としては振出式シャープペンシルで説明する。また、図２の左側を前方とし、右側を後方とする。先ず、黄銅等からなる金属製のチャック１の後部にポリアセタール製のコネクター２を圧入固着する。このコネクター２の後部をポリプロピレン製のパイプ材からなる芯タンク３の前部に圧入固着し、コネクター２の鍔部２Ａが芯タンク３の前部に接触する。更に、チャック１の頭部１Ａには締リング４が外嵌され、締リング４を受け止める連結具５とコネクター２の間にスプリング６が張架される。
【００１１】
次に、胴７を説明すると、胴７の前部孔７Ａを前記芯タンク３及びコネクター２が挿通可能に構成する。更に、胴７の前部細径部７Ｂに滑り止め用のゴムグリップ８を外嵌する。このゴムグリップ８は半透明で構成され、内部が目視可能に構成される。
【００１２】
透明樹脂製の鞘９はクリップ１０が一体に構成され、この鞘９の後部に内鍔９Ａを形成する。更に、内鍔９Ａに長手方向に伸びた凹溝９Ｂを形成する。この凹溝９Ｂは長手方向前方に行くに従って細幅となるように形成する。また、内鞘１１の後部に外鍔１１Ａを形成するとともに外鍔１１Ａより長手方向前方に伸びた突部１１Ｂを形成し、この突部１１Ｂの前部に両側を曲線状に湾曲した係止部１１Ｃを形成する。この係止部１１Ｃの最大幅は前記鞘９の凹溝９Ｂの最小幅より適宜太幅に形成する。更に、内鞘１１の内面には、中間部よりやや後方に内鍔１１Ｄを形成し、かつ、前端より長手方向後方に伸びた２つの前部キー溝１１Ｅが互いに相対して形成されるとともに、後端より長手方向前方に伸びた２つの後部キー溝１１Ｆが互いに相対して形成される。
【００１３】
中子１２は前部に内鍔１２Ａが形成され、中間部の相対する位置に開口窓１２Ｂが形成される。更に、中子１２の外面には２つのキー１２Ｃが相対位置に形成される。
【００１４】
消しゴム支え１３の前部外面の上下には２つの突起１３Ａが相対位置に形成され、この突起１３Ａの前端は傾斜して形成される。また、消しゴム支え１３の両側には開口窓１３Ｂが形成され、消しゴム支え１３の前部が撓み可能に形成される。消しゴム支え１３の後部には外鍔１３Ｃが形成され、この外鍔１３Ｃには外方に突出した２つのキー１３Ｄが互いに相対して形成される。更に、消しゴム支え１３の後部内孔１３Ｅには消しゴム１４が嵌合されて取り付けられ、かつ、消しゴム１４を覆うノブ１５が消しゴム支え１３の後部外面１３Ｆに嵌合される。
【００１５】
前記中子１２は、中子１２のキー１２Ｃが内鞘１１の前部キー溝１１Ｅに合わされて内鞘１１の前方より挿入される。また、内鞘１１の後方より消しゴム支え１３が内鞘１１の後部キー溝１１Ｆに消しゴム支え１３のキー１３Ｄが合わされて挿入され、内鞘１１の内鍔１１Ｄと消しゴム支え１３の外鍔１３Ｃとの間にリターンスプリング１６が張架される。そして、消しゴム支え１３を適宜挿入すると、消しゴム支え１３の突起１３Ａが中子１２の開口窓１２Ｂに係合して取り付けられる。この時、内鞘１１の前部キー溝１１Ｅに中子１２のキー１２Ｃが合わされるとともに内鞘１１の後部キー溝１１Ｆに消しゴム支え１３のキー１３Ｄが合わされるので、消しゴム支え１３の突起１３Ａは中子１２の開口窓１２Ｂに確実に嵌め込まれる。
【００１６】
この内鞘１１を前記鞘９に後方より挿入するが、この時先ず内鞘１１の突部１１Ｂに形成した係止部１１Ｃを鞘９の凹溝９Ｂに圧入嵌合する。この時、鞘９の凹溝９Ｂは後方が太幅となっているので凹溝９Ｂに係止部１１Ｃがスムーズに圧入嵌合される。尚、この係止部１１Ｃは強い力で後方に引っ張れば外すことができるので、使用者が内鞘１１の表面に任意のシールを貼ることができ、透明の鞘９を透して目視することができる。また、内鞘１１と鞘９は、突部１１Ｂが凹溝９Ｂに係合されることによって回り止めと位置合わせが行われる。
【００１７】
前記胴７の前方より芯タンク３を挿入し、胴７の前端と胴７の前部に螺合された口金１７の内段１７Ａにより連結具５を挾持する。また、口金１７の後端と胴７の外鍔７Ｃによりゴムグリップ８を挾持する。口金１７には芯１８を適宜の力で保持するゴム等の弾性体で構成された芯ホルダー１９が内蔵される。
【００１８】
重量体２０は金属線をコイル状に巻いて構成し、この重量体２０を胴７の後端より胴７内に摺動可能に内蔵する。また、この重量体２０内に前記芯タンク３が挿通される。
【００１９】
次に胴７に前記内鞘１１を着脱可能に螺合し、胴７の外鍔７Ｃと内鞘１１の外鍔１１Ａにより鞘９を挾持する。また、胴７内に内蔵された重量体２０はコネクター２の鍔部２Ａと中子１２の内鍔１２Ａの間を長手方向に摺動可能に構成される。
【００２０】
以上説明した振出式シャープペンシルは、振ることにより重量体２０に慣性力が働き、重量体２０がコネクター２の鍔部２Ａに当接する。すると、重量体２０の慣性力がコネクター２に伝わり、コネクター２とともにチャック１及び芯タンク３も前進し一定量芯１８が繰り出される。
【００２１】
また、胴７から内鞘１１を外した時に、鞘９の凹溝９Ｂに内鞘１１の係止部１１Ｃが圧入嵌合しているので、鞘９が外れてしまう恐れはない。
【００２２】
更にまた、半透明のゴムグリップ８及び透明の鞘９から内部の部品が目視できるので、斬新なデザインの外観が得られる。尚、鞘９は着色透明に構成しても同様の利点が得られる。
【実施例２】
【００２３】
図５は本発明の実施例２を示すもので、図１と同一の部材は同一の符号を付してその説明は省略する。胴１０７の前部孔１０７Ａを芯タンク３及びコネクター２が挿通可能に構成する。この胴１０７の後部に金輪２１の前部を圧入固着する。
【００２４】
更に、胴１０７に滑り止め用のゴムグリップ８を外嵌する。この胴１０７の前方より芯タンク３を挿入し、胴１０７の前部に口金１７を螺合することにより口金１７の後端と金輪２１の外鍔２１Ａによりゴムグリップ８を挾持する。
【００２５】
この金輪２１に内鞘１１を着脱可能に螺合し、金輪２１の外鍔２１Ａと内鞘１１の外鍔１１Ａにより鞘９を挾持する。
【００２６】
尚、本発明の筆記具は振出式のシャープペンシルに限定されるものではなく、ノック式のシャープペンシルやボールペン、更にはサインペンといった種々の筆記具に利用できるものである。
【産業上の利用可能性】
【００２７】
胴から内鞘を外した時に、内鞘から鞘が外れる恐れがないとともに、内鞘にシール等を貼る場合には内鞘から鞘を簡単に外すことができる筆記具に適用できる。
【図面の簡単な説明】
【００２８】
【図１】本発明の実施例１における内鞘の係止部を示す主要部部分断面図である。（実施例１）
【図２】本発明の実施例１を示す断面図である。（実施例１）
【図３】図２のＡ−Ａ線を示す拡大断面図である。（実施例１）
【図４】図２のＢ−Ｂ線を示す拡大断面図である。（実施例１）
【図５】本発明の実施例２を示す断面図である。（実施例２）
【符号の説明】
【００２９】
７  胴
９  鞘
９Ａ  鞘９の内鍔
９Ｂ  鞘９の凹溝
１１  内鞘
１１Ａ  内鞘１１の外鍔
１１Ｂ  内鞘１１の突部
１１Ｃ  内鞘１１の係止部
２１  金輪
１０７  胴
【図１】
2005219209.tif 000003
【図２】
2005219209.tif 000004
【図３】
2005219209.tif 000005
【図４】
2005219209.tif 000006
【図５】
2005219209.tif 000007